(57)【要約】      （修正有）【課題】外科医が操作して正しい位置を得ることができる鼻涙管の中に挿入する二小管プローブを提供する。【解決手段】人体の中への挿入に適合した、好ましくは、シリコーンである材料から作られた中心管状部分１と、中心管状部分の一端にそれぞれが固定される２つの末端部分４、５とを備える、患者の鼻涙管の中に挿入されるように意図された二小管プローブにおいて、２つの太い部分６、７が、中心管状部分から突き出ており、これらの２つの太い部分は、第１に、互いに離隔しており、第２に、それぞれは、末端部分が取り付けられた端部２、３から離隔している。【選択図】図１
2019055175.tif 000002
【特許請求の範囲】
【請求項１】
人体の中への挿入に適合した、好ましくは、シリコーンである材料から作られた中心管状部分（１）と、前記中心管状部分の２つの各端部（２、３）から突き出るように、それぞれの中心部分に固定された２つの末端部分（４、５）とを備える、患者の鼻涙管の中に挿入されるように意図された二小管プローブにおいて、互いに離れた距離にある２つの太い部分（６、７）が、前記中心管状部分からの突起部として形成され、前記２つの太い部分はそれぞれ、前記中心管状部分の前記各端部（２、３）から離れた距離にあることを特徴とする、二小管プローブ。
【請求項２】
前記２つの太い部分（６、７）は、前記中心管状部分の周りに固定された２つの管の形態のものであることを特徴とする、請求項１に記載のプローブ。
【請求項３】
前記２つの太い部分は２つの管であり、これらの間の前記管に沿った距離は、３０ｍｍと４０ｍｍの間の長さの中心セグメントに相当することを特徴とする、請求項１または２に記載のプローブ。
【請求項４】
前記２つの太い部分は２つの管であり、４ｍｍと８ｍｍの間の長さにわたり前記管に沿って延びることを特徴とする、請求項１から３の一項に記載のプローブ。
【請求項５】
前記２つの太い部分は２つの管であり、５ｍｍと７ｍｍの間の長さにわたり前記管に沿って延びることを特徴とする、請求項４に記載のプローブ。
【請求項６】
前記２つの太い部分は２つの管であり、他方の太い部分とは反対の側にある前記中心管状部分の前記端部（２、３）からそれぞれ同じ距離にあることを特徴とする、請求項１から５の一項に記載のプローブ。
【請求項７】
前記２つの太い部分は２つの管であり、これらの間の前記管に沿った距離は、３２ｍｍと３５ｍｍの間の長さの中心セグメントに相当することを特徴とする、請求項６に記載のプローブ。
【請求項８】
前記２つの管は、それぞれ、接着剤の層により前記中心管状部分に接着されることを特徴とする、請求項１から７の一項に記載のプローブ。
【請求項９】
前記２つの管の間の中間にマークを有することを特徴とする、請求項１から８の一項に記載のプローブ。
【発明の詳細な説明】
【技術分野】
【０００１】
本発明は、患者の鼻涙管の中に挿入されるように意図された二小管プローブに関する。
【背景技術】
【０００２】
従来、患者の鼻涙管の中に挿入されるように意図された二小管プローブは、人体の中への挿入に適合した材料、特にシリコーンから作られたプローブを形成する中心管を備え、それは、その両端で、鼻涙管の中に中心のシリコーン管を導入できる、例えば、ガイド・ワイヤ、マンドレルなどの末端部分に接続される。
【０００３】
これらの初期のデバイスは、鼻涙管の中に挿入するための特に適切な解決策を構成しているが、外科医が操作して、鼻涙管内で正しい位置を得るようにするのが困難であり、また装着後に中心管の束を結ぶ必要がある。
【０００４】
米国特許第６，１１７，１１６号は、請求項１のプリアンブルによるプローブを述べている。管が、中心管と各末端部分との間の境界部に形成される。
【発明の概要】
【発明が解決しようとする課題】
【０００５】
本発明は、請求項１で定義される、患者の鼻涙管の中に挿入されるように意図された二小管プローブを提案することにより、初期のデバイスの困難さを克服することを目的とする。
【課題を解決するための手段】
【０００６】
２つの太い部分は、中心管状部分の周囲に固定された２つの管の形態で作られることが好ましい。
【０００７】
２つの管である２つの太い部分は、管である他方の太い部分の反対側にある末端部分が取り付けられる端部から同じ距離にあることが好ましい。
【０００８】
２つの管である２つの太い部分は、４ｍｍと８ｍｍの間、好ましくは５ｍｍと７ｍｍの間の長さで管に沿って延びることが好ましい。
【０００９】
２つの管である２つの太い部分の間の管に沿った距離は、３０ｍｍと４０ｍｍの間、好ましくは、３２ｍｍと３５ｍｍの間の長さの中心セグメントであることが好ましい。
【００１０】
本発明の実装形態の好ましい方法によれば、２つの管は、中心管状部分に接着される。
【００１１】
本発明の実装形態の好ましい方法によれば、２つの末端部は、ガイド・ワイヤから構成され、各ガイド・ワイヤは、横方向に突き出て「挿入中に」ひっかかるおそれがあるような粗さを備えることなく管に接続される。
【００１２】
実装形態の別の方法によれば、好ましくは、０．４ｍｍの外径と６０ｍｍの長さを備えた金属のマンドレルをシリコーン管の内側に接着して設けることができる。
【００１３】
改良によれば、外科医による位置決めを支援するために、２つの管の間の中間にマークが設けられる。
【００１４】
本発明によるこのような二小管プローブを提供することにより、外科医は、プローブを装着するとき、２つの管を確実に涙嚢に配置して、涙小管の水平部分または鼻涙管に配置されないようにする。プローブは、したがって、鼻道に対する引っ張りをほとんど生ずることなく、「チーズ・ワイヤリング（Ｃｈｅｅｓｅ  ｗｉｒｉｎｇ）」現象を回避して、鼻涙管内でより移動性があり、かつ位置が自由になる。さらに、装着した後、もはやシリコーンの束を結ぶ必要がなく、中心セグメントを引っ張ることにより引き抜きが行われ、もはや鼻の中の結び目を切る必要がない。
【００１５】
プローブの安定性は、２つの管が涙嚢に配置するので極めて良好である。最後に、管が涙嚢の中に正確に配置されるように、末端部の束を引っ張ることによって装着する際、中央のマークがプローブの位置決めする上での助けとなる。
【００１６】
例として、本発明の実装形態の好ましい方法を、次に、図面を参照して述べるものとする。
【図面の簡単な説明】
【００１７】
【図１】本発明による二小管プローブの概略図である。
【図２】図１の線Ａ−Ａに沿った横断面図である。
【発明を実施するための形態】
【００１８】
図１は、患者の鼻涙管の中に挿入されるように意図された二小管プローブを示す。このプローブは、２つの端点２と３の間で延びるシリコーン管１から構成される。２つの末端部分４および５が、端点２および３から突き出ており、プローブを挿入できるようにする。部分４および５は、管１よりも細い。
【００１９】
これらの末端部分は、好ましくは、特許ＦＲ−Ａ−２９９２８５１で述べられるように、ＰＥＥＫのガイド・ワイヤとすることができ、その場合、挿入中に、何らかの粗さが鼻壁をこすることがないように、管／ガイド・ワイヤの接合部は面取りされる。
【００２０】
部分４および５はまた、文献米国特許第４，３８０，２３９号で示されるマンドレルとすることができ、その場合、管／マンドレルの接合部もまた面取りされる。それらはまた、特許ＦＲ−Ａ−２７００７２２で述べられるように、シリコーン管１と組み立てられた、好ましくは、０．８０ｍｍの外径、および８０ｍｍの長さのマンドレルとすることができる。それらはまた、シリコーン管の内側に接着される０．４ｍｍの外径および６０ｍｍの長さの金属マンドレルとすることもできる。
【００２１】
シリコーン管１は、０．３ｍｍから０．６４ｍｍの直径を有し、シリコーン管の全長は、末端部を除き、例えば、３００ｍｍである。
【００２２】
管の太い部分を形成する２つの管６および７は、シリコーン管１から横方向に突き出ている。それらは、好ましくは、接着、溶接、または同様のものによって管に固定されるべきである。それらはまた、成形またはオーバーモールディングにより作ることができる。２つの管６および７は、４ｍｍと８ｍｍの間、好ましくは、５ｍｍと７ｍｍの間の長さにわたり管１に沿って延びる。２つの管６と７の間に、３０ｍｍと４０ｍｍの間、好ましくは、３２ｍｍと３５ｍｍの間の、管に沿って測定された長さを有するシリコーン管１の中心セグメントが規定される。２つの管６と７の間の中間にある中間点において、正確な中点を画定する中心マーク１０が形成されて、特に、２つの管６および７が、涙嚢内に確実に正しく配置されるようにすることにより、外科医がプローブをより容易に装着できるようにする。
【００２３】
中心マーク１０は、中心管１の細い部分から構成することができる。それはまた、好ましくは、管の表面上の点の形態で生体適合性のある着色インクを用いたパッド印刷によるマーキング、管の周囲の表面上の３６０°もしくはそれ未満の連続もしくは不連続な線のマーキング、インクもしくはシリコーン接着材（透明な材料）で充填された中心管の一部分によるマーキング、または任意の他の形態のマークもしくは同様のマーキングから構成することができる。
【００２４】
２つの管、すなわち太い部分は、管１の２つの各遠位の端点８と近位の端点９との間で延びる。
【００２５】
２つの近位点９は、互いに離れた距離にある。
【００２６】
各遠位点８は、各部分４、５がそこから延びる、各近位点９の反対側に位置する各管の点２、３から離れた距離にある。
【図１】
2019055175.tif 000003
【図２】
2019055175.tif 000004
【外国語明細書】
2019055175.tif 000005
2019055175.tif 000006
2019055175.tif 000007
2019055175.tif 000008
2019055175.tif 000009
2019055175.tif 000010
2019055175.tif 000011
2019055175.tif 000012
2019055175.tif 000013